(57)【要約】【課題】移動式空調装置が壁に対して同一面で当接して配置できるようにし、優れた熱放散性能を発揮すること。【解決手段】移動式空調装置は、シェル、放熱装置、スリーブ５４、スライドドア２２２、排気装置６０及び空冷アッセンブリ４２を有する。シェルは内部空間及び通気口２２０を有し、通気口はシェルの頂部上にある。放熱装置は入口と出口を有する。スリーブは通気口と出口との間に接続される。スライドドアは、シェル内に移動可能に取り付けられ、通気口に対応する。排気装置及び空冷アッセンブリは、内部空間に配置される。移動式空調装置の内部の高温の空気は通気口から上向きに放散される。【選択図】図３
0003200653.tif 000002
【実用新案登録請求の範囲】
【請求項１】
シェルを備え、前記シェルは内部空間、頂部、前記シェルの前記頂部上に形成される通気口を有し、
前記内部空間に取り付けられ、入口及び出口を有する放熱装置を備え、前記放熱装置の前記出口は前記シェルの前記通気口と位置合わせされ、
前記通気口と前記出口との間を接続するスリーブと、
前記シェル内に移動可能に設けられ、前記通気口に対応して前記通気口を閉成し又は開成するためのスライドドアと、
前記シェルの前記内部空間内に配置される排気装置と、
前記シェルの前記内部空間内に取り付けられ、空冷を生成する空冷アッセンブリとを備えることを特徴とする移動式空調装置。
【請求項２】
前記スリーブに接続される一端を有する軟質チューブを含み、前記軟質チューブは退行して前記スリーブに格納されることを特徴とする請求項１記載の移動式空調装置。
【請求項３】
前記スリーブに接続される一端を有する剛性チューブを含むことを特徴とする請求項１記載の移動式空調装置。
【請求項４】
前記シェルの底部に取り付けられる複数の車輪を含むことを特徴とする請求項１記載の移動式空調装置。
【請求項５】
前記放熱装置の前記出口に設けられるフィルターメッシュを含むことを特徴とする請求項１記載の移動式空調装置。
【請求項６】
前記シェルの前記内部空間内で、前記通気口の両側にそれぞれ取り付けられる2つのレールを含み、前記スライドドアは前記2つのレールの間に設けられ、前記2つのレールに沿って移動可能であることを特徴とする請求項１記載の移動式空調装置。
【請求項７】
前記放熱装置は、
第１のカバー、
前記入口を有し、前記第１のカバーと組み立てられ前記出口及び収納空間を形成する第２のカバー、
前記収容空間に取り付けられるモータ、
前記収納空間内で、前記モータの周囲に取り付けられるターボファン
を備え、
前記入口、前記収容空間及び前記出口は互いに連通していることを特徴とする請求項１記載の移動式空調装置。
【考案の詳細な説明】
【技術分野】
【０００１】
本考案は、空調装置に関し、特に屋内で移動可能に使用される空調装置に係わる。
【背景技術】
【０００２】
一般に、従来の移動式空調装置１０は、図７及び図８に示されている（特許文献１参照）。通気口１２は、移動式空調装置１０の裏面側に形成されている。４つの車輪１４は、移動式空調装置１０の底部の下に取り付けられている。ユーザは移動式空調装置１０を必要な位置に移動することができる。
【０００３】
移動式空調装置１０が稼働するとき、移動式空調装置１０における熱風が排出され、通気口１２から放散される。実際の使用では、チューブ７０が通気口１２に接続されるようにしてもよい。熱風は、チューブ７０から窓に流れ、屋外に放散する。良好な空調性能を得るとともに部屋を広くするという配慮から、移動式空調装置１０は、通常、図８に示すように壁１の近傍に移動される。
【０００４】
通気口１２は移動式空調装置１０の背面側に形成され、チューブ７０はＳ字状に屈曲されているので、移動式空調装置１０は、壁１に隣り合って密接して配置することができず、壁１からある距離だけ離間して立設しなければならない。さらに、チューブ７０はＳ字状に屈曲しているため、移動式空調装置１０の放散効率が比較的低い。
【先行技術文献】
【特許文献】
【０００５】
【特許文献１】ＣＮ ２０３２９８４１７ Ｕ
【考案の概要】
【考案が解決しようとする課題】
【０００６】
本考案の主目的は、壁に隣り合って密接して、さらに壁に対して同一面で当接して配置することができる移動式空調装置を提供することにある。ユーザは、ドア、壁又は窓に、より密接して移動式空調装置を移動することができる。さらに、移動式空調装置が壁に対して同一面で当接するときチューブが屈曲するようなことはなく、熱放散性能は従来技術の移動式空調装置よりも優れている。
【課題を解決するための手段】
【０００７】
前述の目的を達成するため、本考案の移動式空調装置は、シェル、放熱装置、スリーブ、スライドドア、排気装置及び空冷アッセンブリを有する。シェルは内部空間及び通気口を有し、通気口はシェルの頂部上にある。放熱装置は、入口及び出口を有する。スリーブは、通気口と出口との間に接続される。スライドドアは、シェル内に移動可能に取り付けられ、通気口に対応している。排気装置及び空冷アッセンブリは、内部空間に配置されている。移動式空調装置の内部における高温の空気が通気口から上向きに放散される。
【０００８】
本考案の他の目的、利点及び新規な特徴は、以下の詳細な説明から図面と併せて参照すれば一層明らかとなる。
【図面の簡単な説明】
【０００９】
【図１】図１は、本考案にしたがう移動式空調装置の第１の実施例の斜視図である。
【図２】図２は、本考案にしたがう移動式空調装置の第２の実施例の斜視図である。
【図３】図３は、本考案にしたがう移動式空調装置の第２の好ましい実施例の分解図である。
【図４】図４は、本考案にしたがう移動式空調装置の放熱装置の分解図である。
【図５】図５は、本考案にしたがう移動式空調装置の第２の実施例の別の分解図である。
【図６】図６は、本考案にしたがう移動式空調装置の動作概略図である。
【図７】図７は、従来の移動式空調装置を示す。
【図８】図８は、従来の移動式空調装置の動作概略図である。
【考案を実施するための形態】
【００１０】
以下、本考案にしたがう移動式空調装置をその好ましい実施例について図面を参照して詳述する。
【００１１】
図１〜図５を参照するに、本考案の移動式空調装置は、シェル２０、コントローラ３０は、圧縮機（図示せず）、凝縮器４２、放熱装置５０、排気装置６０及びスリーブ５４を含んでいる。
【００１２】
図１、図５において、シェル２０は、バックカバー２４２、一対のサイドカバー２４４、トップカバー２４８、ベース２４１及びフロントカバー２４６を含んでいる。内部空間は、バックカバー２４２、サイドカバー２４４、トップカバー２４８、ベース２４１及びフロントカバー２４６によって形成される。シェル２０の内部空間は、移動式空調装置の部品を収納するために使用される。複数の車輪２４０がベース２４１の底部に取り付けられる。複数の車輪２４０の数は要求に応じて２個、４個、６個又は８個である。
【００１３】
トップカバー２４８はシェル２０の頂部として機能する。トップカバー２４８は、移動式空調装置で生成された高温の空気を排出する通気口２２０が形成される。通気口２２０は、移動式空調装置の頂部上に形成される。移動式空調装置が壁に密接して配置されるときシェル２０は壁に対して同一面で当接することができる。したがって、熱風は、垂直方向に沿って移動式空調装置から排出することができる。
【００１４】
トップカバー２４８は、ユーザによって操作可能で移動式空調装置の複数の機能を制御するための操作パネル２２８を含んでいる。その機能は、温度又は吹き出し方向を調節し、設定し、予め設定することを含むが、これらに限定されない。図５を参照するに、一対の風偏向器２５８がトップカバー２４８の前面に設けられる。風偏向器２５８は、吹き出し方向を上方向又は下方向に調節するために使用される。ベース２４１はシェル２０の底部として機能し、移動式空調装置の部品を担持するために使用される。
【００１５】
１つの実施例において、スライドドア２２２は、図１及び図３に示すように、通気口２２０を閉成又は開成するように取り付けられる。さらに、２つのレール２２４が、シェル２０内で、スライドドア２２２の両側にそれぞれに設けられる。レール２２４の各々は、Ｌ字型の構造を有する。スライドドア２２２は、レール２２４の間に配置され、伸長され又は退行されて通気口２２０を閉成又は開成する。移動式空調装置を使用しないとき、スライドドア２２２は伸長されて通気口２２０を閉成し、埃又は汚れが移動式空調装置内に付いてしまうのを防止する。移動式空調装置が使用中であるとき、スライドドア２２２は開成されて通気口２２０を露出し、熱風を排出する。
【００１６】
図３を参照するに、コントローラ３０はコントローラカバー３０２を含んでいる。コントローラ３０内において、電気制御部品を有する回路基板が設けられる。コントローラ３０は、圧縮機を制御し、移動式空調装置に冷風又は熱風を生成させる。また、コントローラ３０は操作パネル２２８と電気的に接続される。ユーザは、制御パネル２２８を操作して移動式空調装置のコントローラ３０を制御する。
【００１７】
図３及び図５を参照するに、蒸発器４１は凝縮器４２上に設置される。凝縮器４２は蒸発器４１と共働して動作し、冷風を生成する。当該技術において周知のように、圧縮機、蒸発器４１及び凝縮器４２が組み立てられて移動式空調装置の空冷アッセンブリとなる。
【００１８】
図５を参照するに、フロントカバー２４６は複数の水平グリッドを有する。また、網状カバー２５６は、網状カバー２５６は、ほこりや汚れを濾過するためのグリッドネットワーク、複数のフロントカバー２４６の前面に取り付けられる。
【００１９】
図５を参照するに、フロントカバー２４６は水平グリッドを複数有する。また、網状カバー２５６はフロントカバー２４６の前面に取り付けられる。網状カバー２５６は、埃又は汚れを濾過するための複数のグリッドネットを含んでいる。
【００２０】
図４を参照するに、放熱装置５０は、第１のカバー５１０、第２のカバー５１２、モータ５２０及びターボファン５３０を含んでいる。第２のカバー５１２は第２のカバー５１２の一側に形成された入口５１４を有する。放熱器５０が移動式空調装置に取り付けられるとき、入口５１４は凝縮器４２に隣り合っている。第１のカバー５１０は第２のカバー５１２と組み立てられて出口５１６を形成する。
【００２１】
放熱装置５０の出口５１６はシェル２０の通気口２２０と位置合わせされる。入口５１４、上記の収容空間及び出口５１６は互いに連通している。
【００２２】
フィルターメッシュ２２６が出口５１６に設けられ、図３に示されるように埃及び汚れを濾過する。出口５１６を通過する空気排出方向は直線状上向きである。さらに、第１のカバー５１０は第２のカバー５１２と組み立てられて収納空間を形成し、モータ５２０及びターボファン５３０を収納する。ターボファン５３０はモータ５２０の周囲に取り付けられて空気の流れを生成する。ところで、入口５１４のなかの空間は、収納空間と出口５１６が連結される。放熱装置５０は、移動式空調装置から熱風を入口５１４、出口５１６、スリーブ５４及び通気口２２０を介して放散することができる。
【００２３】
上述したように、凝縮器４２で生成された高温の空気は放熱器５０によって放散することができる。モータ５２０がターボファン５３０を駆動し回転させるとき、高温の空気が出口５１６を通って上方に流れて排出される。スリーブ５４の底部は出口５１６に組み立てられる。スリーブ５４の頂部は通気口２２０に接続される。よって、高温の空気は移動式空調装置の外に排出することができる。重要なことは、高温の空気が移動式空調装置の外に上方に排出され、それで移動式空調装置が壁に対して同一面で当接して配置されることである。
【００２４】
排気装置６０は、図３及び図５に示すように、空気排出モータ６０２、軸流ファン６０４、車輪カバー６０６、空冷出口６０８を含んでいる。排気装置６０は、シェル２０の内部空間の上側に配置される。蒸発器４１は空冷出口６０８及び風偏向器２５８を介して排出される空冷を生成する。排気装置６０において、車輪カバー６０６は軸流ファン６０４に取り付けられる。軸流ファン６０４は空気排出モータ６０２に接続され、空気排出モータ６０２によって駆動される。空気排出モータ６０２は軸流ファン６０４を駆動して回転させる。軸流ファン６０４が回転するとき、蒸発器４１から空冷は移動式空調装置の外に空冷出口６０８を介して放散することができる。
【００２５】
図２を参照するに、さらに移動空気調和機は軟質チューブ７０又は剛性チューブを含むことができる。軟質チューブ７０の一端はスリーブ５４に接続される。移動式空調装置を使用しないとき軟質チューブ７０はスリーブ５４内に退行させておくことができる。移動式空調装置を電源投入すると、軟質チューブ７０はスリーブ５４から引き出すことができ、軟質チューブ７０の先端部が屋外に伸長することができる。軟質チューブ７０の材料はプラスチック、弾性樹脂又はゴムを含むが、これに限定されるものではない。
【００２６】
移動式空調装置の不使用時であって、軟質チューブ７０がスリーブ５４内に退行されているとき、ユーザはスライドドア２２２を閉成することができる。一方、移動式空調装置の使用時に、ユーザはスライドドア２２２を開成し、軟質チューブ７０を上方に引き出し、もって移動式空調装置を壁に対して同一面で当接することができる。図６を参照するに、軟質チューブ７０は屈曲することなく垂直方向に沿って通気口２２０に接続されるので、本考案にしたがう移動式空調装置の熱放散性能は従来技術よりも優れている。
【符号の説明】
【００２７】
２０・・・シェル
２２０・・・通気口
２２２・・・スライドドア
２２４・・・レール
２２６・・・フィルターメッシュ
２２８・・・操作パネル
２４０・・・車輪
２４１・・・ベース
２４２・・・バックカバー
２４４・・・サイドカバー
２４６・・・フロントカバー
２４８・・・トップカバー
２５６・・・網状カバー
２５８・・・風偏向器
３０・・・コントローラ
３０２・・・コントローラカバー
４１・・・蒸発器
４２・・・凝縮器
５０・・・放熱装置
５４・・・スリーブ
５１０・・・第１のカバー
５１２・・・第２のカバー
５１４・・・入口
５１６・・・出口
５２０・・・モータ
５３０・・・ターボファン
６０・・・排気装置
６０２・・・空気排出モータ
６０４・・・軸流ファン
６０６・・・車輪カバー
６０８・・・空冷出口
７０・・・軟質チューブ
【図１】
0003200653.tif 000003
【図２】
0003200653.tif 000004
【図３】
0003200653.tif 000005
【図４】
0003200653.tif 000006
【図５】
0003200653.tif 000007
【図６】
0003200653.tif 000008
【図７】
0003200653.tif 000009
【図８】
0003200653.tif 000010